(57)【要約】【課題】収容部のサイズが大きくなることを抑制しつつ収容部の収容空間を増やすことができ、かつ開口部を補強することができるランドセルを提供する。【解決手段】ランドセルは、収容部と、補強部材と、蓋部と、一対の背負いベルトとを備えている。収容部１は、背部１ａと、背部１ａの外縁部１ａ１に接続された一対のマチ部１ｂとを含んでいる。補強部材５は、外側補強部１０と、内側補強部２０と、接続部ＣＰとを含んでいる。外側補強部１０と内側補強部２０とは一対のマチ部１ｂの各々を挟み込んだ状態で接続部ＣＰによって接続されている。内側補強部２０は、一対のマチ部１ｂの各々に沿う本体部２１と、本体部２１から背部１ａに沿って突出する突出部２２とを含んでいる。本体部２１および突出部２２は、背部１ａに支持されている。【選択図】図４
2020005691.tif 000002
【特許請求の範囲】
【請求項１】
開口部が設けられた収容部と、
前記開口部に沿って前記収容部に接続された補強部材と、
前記開口部を開閉可能に前記収容部に接続された蓋部と、
前記収容部に接続された一対の背負いベルトとを備え、
前記収容部は、一対の前記背負いベルトのそれぞれの一端および前記蓋部が接続された背部と、前記背部の外縁部に接続されかつ互いに向かい合うように配置された一対のマチ部とを含み、
前記補強部材は、前記収容部の外側に配置された外側補強部と、前記収容部の内側に配置された内側補強部と、前記外側補強部と前記内側補強部とを接続する接続部とを含み、
前記外側補強部と前記内側補強部とは一対の前記マチ部の各々を挟み込んだ状態で前記接続部によって接続されており、
前記内側補強部は、一対の前記マチ部の各々に沿う本体部と、前記本体部から前記背部に沿って突出する突出部とを含み、
前記本体部および前記突出部は、前記背部に支持されている、ランドセル。
【請求項２】
前記収容部は、一対の前記マチ部に接続されかつ前記背部と向かい合うように配置された正面部を含み、
前記外側補強部は、一対の前記マチ部および前記正面部に亘って延びるように構成されている、請求項１に記載のランドセル。
【請求項３】
前記突出部が前記本体部から前記背部に沿って突出する方向において、前記突出部は根元から先端に向けて厚みが小さくなるようにテーパ状に構成されている、請求項１または２に記載のランドセル。
【請求項４】
前記内側補強部は、前記本体部から前記本体部と向かい合うように配置された前記外側補強部に向けて張り出すリブ部を含む、請求項１〜３のいずれか１項に記載のランドセル。
【請求項５】
前記リブ部が前記本体部から張り出す方向において、前記リブ部は根元から先端に向けて幅が狭くなるように構成されている、請求項４に記載のランドセル。
【請求項６】
前記外側補強部は、前記リブ部と向かい合うように配置された溝部を含み、
前記溝部は、前記リブ部と反対側に凹むように構成されている、請求項５に記載のランドセル。
【発明の詳細な説明】
【技術分野】
【０００１】
本発明は、ランドセルに関するものである。
【背景技術】
【０００２】
従来、ランドセルには、教科書等を収容する収容部に設けられた開口部の周縁に補強部材が取り付けられたものがある。この補強部材が取り付けられたランドセルは、例えば実用新案登録第３０１１７０５号公報（特許文献１）に記載されている。この公報に記載されたランドセルでは、収容部の背部はマチ部から外側に張り出している。補強部材は、開口部の周縁においてマチ部から外側に張り出した背部に支持されている。
【先行技術文献】
【特許文献】
【０００３】
【特許文献１】実用新案登録第３０１１７０５号公報
【発明の概要】
【発明が解決しようとする課題】
【０００４】
収容部のサイズが大きくなることを抑制しつつ収容部の収容空間を増やすために、背部の外縁部にマチ部が接続されたランドセルがある。このランドセルでは、背部はマチ部から外側に張り出さない。したがって、上記の公報に記載された補強部材では、補強部材が背部に支持されないため、開口部を補強することは困難である。
【０００５】
本発明は上記課題に鑑みてなされたものであり、その目的は、収容部のサイズが大きくなることを抑制しつつ収容部の収容空間を増やすことができ、かつ開口部を補強することができるランドセルを提供することである。
【課題を解決するための手段】
【０００６】
本発明のランドセルは、開口部が設けられた収容部と、開口部に沿って収容部に接続された補強部材と、開口部を開閉可能に収容部に接続された蓋部と、収容部に接続された一対の背負いベルトとを備えている。収容部は、一対の背負いベルトのそれぞれの一端および蓋部が接続された背部と、背部の外縁部に接続されかつ互いに向かい合うように配置された一対のマチ部とを含んでいる。補強部材は、収容部の外側に配置された外側補強部と、収容部の内側に配置された内側補強部と、外側補強部と内側補強部とを接続する接続部とを含み、外側補強部と内側補強部とは一対のマチ部の各々を挟み込んだ状態で接続部によって接続されている。内側補強部は、一対のマチ部の各々に沿う本体部と、本体部から背部に沿って突出する突出部とを含んでいる。本体部および突出部は、背部に支持されている。
【発明の効果】
【０００７】
本発明のランドセルによれば、収容部は、背部の外縁部に接続された一対のマチ部を含んでいる。このため、背部はマチ部から外側に張り出さない。したがって、収容部のサイズが大きくなることを抑制しつつ収容部の収容空間を大きくすることができる。また、補強部材の外側補強部と内側補強部とは一対のマチ部の各々を挟み込んだ状態で接続部によって接続されている。このため、外側補強部および内側補強部によって開口部を補強することができる。さらに、本体部および突出部は、背部に支持されている。このため、本体部および突出部によって開口部を補強することができる。
【図面の簡単な説明】
【０００８】
【図１】本発明の一実施の形態における背部側から見たランドセルの概略斜視図である。
【図２】図１に示されるランドセルを正面部側から見たランドセルの概略斜視図である。
【図３】図２に示されるランドセルの部分分解斜視図である。
【図４】図２のＩＶ−ＩＶ線に沿う断面図である。
【図５】本発明の一実施の形態における変形例１のランドセルの内側補強部を示す概略斜視図である。
【図６】本発明の一実施の形態における変形例１のランドセルの図４に対応する位置での断面図である。
【図７】本発明の一実施の形態における変形例２のランドセルの内側補強部を示す概略斜視図である。
【図８】本発明の一実施の形態における変形例３のランドセルの補強部材の一部を示す概略斜視図である。
【図９】本発明の一実施の形態における変形例３のランドセルの図４に対応する位置での断面図である。
【発明を実施するための形態】
【０００９】
以下、本発明の一実施の形態について図に基づいて説明する。なお、以下の図においては、同一または相当する部分に同一の符号を付すものとし、重複する説明は繰り返さない。
【００１０】
最初に本発明の一実施の形態におけるランドセルの構成について説明する。
図１および図２を参照して、本実施の形態におけるランドセル１００は、収容部１と、蓋部２と、一対の背負いベルト３と、連結部材４と、補強部材５とを主に有している。
【００１１】
収容部１は、背部１ａと、一対のマチ部１ｂと、正面部１ｃと、底部１ｄとを有している。収容部１には開口部ＯＰが設けられている。収容部１は上端に開口部ＯＰを有している。収容部１は開口部ＯＰに連通する収容空間ＩＳを有している。収容空間ＩＳは、背部１ａ、一対のマチ部１ｂ、正面部１ｃおよび底部１ｄのそれぞれの内周面によって取り囲まれた空間である。収容部１は開口部ＯＰを通して収容空間ＩＳに教科書等を収容可能に構成されている。
【００１２】
背部１ａには、一対の背負いベルト３のそれぞれの一端が接続されている。背部１ａには、蓋部２が接続されている。背部１ａには、連結部材４が取り付けられている。一対の背負いベルト３のそれぞれは連結部材４を介して背部１ａに接続されている。
【００１３】
一対のマチ部１ｂは、背部１ａの外縁部１ａ１に接続されている。一対のマチ部１ｂは、互いに向かい合うように配置されている。一対のマチ部１ｂは、第１マチ部材１ｂ１と、第２マチ部材１ｂ２とを含んでいる。一対のマチ部１ｂは底部１ｄを挟んで向かい合うように配置されている。一対のマチ部１ｂは底部１ｄの両端から立ち上がるように構成されている。
【００１４】
正面部１ｃは、一対のマチ部１ｂに接続されている。正面部１ｃは背部１ａと向かい合うように配置されている。正面部１ｃは底部１ｄを挟んで背部１ａと向かい合うように配置されている。底部１ｄは、開口部ＯＰと向かい合うように配置されている。
【００１５】
蓋部２は、開口部ＯＰを開閉可能に収容部１に接続されている。具体的には、蓋部２は、収容部１の背部１ａの上端に接続されており、背部１ａの上端を基端にして開口部ＯＰを開閉可能に構成されている。蓋部２は、図１に示される閉じられた状態で、収容部１の開口部ＯＰおよび正面部１ｃを覆うことが可能に構成されている。また、蓋部２は、図２に示される開かれた状態で、収容部１の開口部ＯＰおよび正面部１ｃを露出させることが可能に構成されている。
【００１６】
一対の背負いベルト３は収容部１に接続されている。具体的には、一対の背負いベルト３のそれぞれの一端が連結部材４を介して背部１ａの上端部に接続されている。なお、図１では、説明の便宜のため、一対の背負いベルト３は各々の一端周辺のみが図示されており、一端の周辺以外は図示されていない。一対の背負いベルト３のそれぞれの他端が図示しない接続部材を介して収容部１の底部１ｄに接続されている。一対の背負いベルト３は、左右に１本ずつ設けられている。一対の背負いベルト３は、使用者がランドセル１００を背負ったときに使用者の両肩に装着されるように構成されている。
【００１７】
補強部材５は、開口部ＯＰに沿って収容部１に接続されている。補強部材５は、収容部１の上端に取り付けられている。補強部材５は、背部１ａの一部、一対のマチ部１ｂおよび正面部１ｃに取り付けられている。具体的には、補強部材５は、背部１ａの一端、第１マチ部材１ｂ１、正面部１ｃ、第２マチ部材１ｂ２、背部１ａの他端に亘って取り付けられている。補強部材５は、背部１ａの一部、一対のマチ部１ｂおよび正面部１ｃに縫着されている。補強部材５の素材は、例えば樹脂である。
【００１８】
続いて、図３および図４を参照して、補強部材５の構成について詳しく説明する。
補強部材５は、外側補強部１０と、内側補強部２０と、接続部ＣＰとを含んでいる。外側補強部１０は、収容部１の外側に配置されている。内側補強部２０は、収容部１の内側に配置されている。接続部ＣＰは、外側補強部１０と内側補強部２０とを接続するように構成されている。本実施の形態では、複数の接続部ＣＰが設けられている。外側補強部１０と内側補強部２０とは一対のマチ部１ｂの各々を挟み込んだ状態で接続部ＣＰによって接続されている。本実施の形態では、複数の接続部ＣＰは一対のマチ部１ｂに設けられた貫通孔ＨＰを貫通して外側補強部１０と内側補強部２０とを接続している。
【００１９】
内側補強部２０は、本体部２１と、突出部２２とを含んでいる。本体部２１は、一対のマチ部１ｂの各々に沿うように構成されている。突出部２２は、本体部２１から背部１ａに沿って突出するように構成されている。つまり、内側補強部２０は、本体部２１および突出部２２で構成された折曲部を有している。突出部２２は本体部２１の背部１ａ側の端部に配置されている。本体部２１および突出部２２は、背部１ａに支持されている。つまり、内側補強部２０の折曲部は背部１ａの内面に当接している。
【００２０】
本実施の形態では、接続部ＣＰは本体部２１の中央部に配置されている。これにより、接続部ＣＰが本体部２１の端部に配置されている場合に比べて、内側補強部２０を外側補強部１０に安定した状態で固定することが容易となる。
【００２１】
本実施の形態では、突出部２２は本体部２１よりも厚みが小さくなるように構成されている。これにより、本体部２１で開口部ＯＰを補強しつつ突出部２２の収容空間ＩＳへの突出を抑制することができる。したがって、開口部ＯＰを補強しつつ開口部ＯＰから収容空間ＩＳへ教科書等を挿入することが容易となる。
【００２２】
外側補強部１０は、一対のマチ部１ｂおよび正面部１ｃに亘って延びるように構成されている。外側補強部１０は、第１補強部１１と、一対の第２補強部１２と、一対の第３補強部１３とを含んでいる。第１補強部１１は、正面部１ｃに配置されている。一対の第２補強部１２は、一対のマチ部１ｂにそれぞれ配置されている。第１補強部１１の両端に一対の第２補強部１２がそれぞれ接続されている。一対の第２補強部１２は互いに向かい合うように配置されている。
【００２３】
一対の第３補強部１３は背部１ａの一端および他端に配置されている。一対の第３補強部１３は背部１ａの外面に支持されている。一対の第３補強部１３は一対の第２補強部１２の各々に接続されている。一対の第３補強部１３は第１補強部と向かい合うように配置されている。一対の第３補強部１３は互いに間隔を空けて配置されている。一対の第３補強部１３は互いに近づくように一対の第２補強部１２の各々から突出している。
【００２４】
外側補強部１０の第３補強部１３と内側補強部２０の突出部２２とは背部１ａを挟み込むように配置されている。
【００２５】
外側補強部１０の外側に表地３０が配置されている。外側補強部１０は表地３０によって覆われている。表地３０は、外側補強部１０に重ねられた状態で縫着されている。
【００２６】
内側補強部２０は、第１内側補強部材２０ａと第２内側補強部材２０ｂとを含んでいる。第１内側補強部材２０ａは、第１本体部材２１ａと、第１突出部材２２ａとを含んでいる。第１本体部材２１ａは、第１マチ部材１ｂ１に接続されている。第１突出部材２２ａは、第１本体部材２１ａから第２マチ部材１ｂ２に向けて突出するように構成されている。第１本体部材２１ａおよび第１突出部材２２ａは背部１ａの内面に支持されている。
【００２７】
第２内側補強部材２０ｂは、第２本体部材２１ｂと、第２突出部材２２ｂとを含んでいる。第２本体部材２１ｂは、第２マチ部材１ｂ２に接続されている。第２突出部材２２ｂは、第２本体部材２１ｂから第１マチ部材１ｂ１に向けて突出するように構成されている。第２本体部材２１ｂおよび第２突出部材２２ｂは背部１ａの内面に支持されている。
【００２８】
次に、本実施の形態におけるランドセル１００の作用効果について説明する。
図４を参照して、本実施の形態におけるランドセル１００によれば、収容部１は、背部１ａの外縁部１ａ１に接続された一対のマチ部１ｂを含んでいる。このため、背部１ａはマチ部１ｂから外側に張り出さない。したがって、収容部１のサイズが大きくなることを抑制しつつ収容部１の収容空間ＩＳを大きくすることができる。また、補強部材５の外側補強部１０と内側補強部２０とは一対のマチ部１ｂの各々を挟み込んだ状態で接続部ＣＰによって接続されている。このため、外側補強部１０および内側補強部２０によって開口部ＯＰを補強することができる。さらに、本体部２１および突出部２２は、背部１ａに支持されている。このため、本体部２１および突出部２２によって開口部を補強することができる。
【００２９】
また、補強部材５は、外側補強部１０と、内側補強部２０とを含んでいる。このため、外側補強部１０と、内側補強部２０とは別々に強度を調整することができる。したがって、開口部ＯＰの補強の調整が容易となる。
【００３０】
また、本実施の形態におけるランドセル１００によれば、外側補強部１０は、一対のマチ部１ｂおよび正面部１ｃに亘って延びるように構成されている。このため、外側補強部１０によって、一対のマチ部１ｂおよび正面部１ｃに亘って開口部ＯＰを補強することができる。
【００３１】
次に、本実施の形態における変形例１〜３のランドセル１００について説明する。
図５および図６を参照して、本実施の形態における変形例１のランドセル１００について説明する。本実施の形態における変形例１のランドセル１００では、上記の本実施の形態におけるランドセル１００に比べて内側補強部２０の突出部２２の構成が主に異なっている。
【００３２】
本実施の形態における変形例１のランドセル１００では、突出部２２は、突出部２２の根元から先端に向けて先細りとなるテーパ状に構成されている。具体的には、突出部２２が本体部２１から背部１ａに沿って突出する方向において、突出部２２は根元から先端に向けて厚みが小さくなるようにテーパ状に構成されている。突出部２２は、背部１ａの内面と面一になるまで厚みが小さくなるように構成されていてもよい。
【００３３】
本実施の形態における変形例１のランドセル１００によれば、突出部２２が本体部２１から背部１ａに沿って突出する方向において、突出部２２は根元から先端に向けて厚みが小さくなるようにテーパ状に構成されている。このため、突出部２２の根元で内側補強部２０の強度を確保しつつ先端での収容空間ＩＳへの突出を抑制することができる。したがって、開口部ＯＰを補強しつつ開口部ＯＰから収容空間ＩＳへ教科書等を挿入することが容易となる。
【００３４】
図７を参照して、本実施の形態における変形例２のランドセル１００について説明する。本実施の形態における変形例２のランドセル１００では、上記の本実施の形態におけるランドセル１００に比べて、内側補強部２０がリブ部ＲＰを含んでいる点で主に異なっている。
【００３５】
本実施の形態における変形例２のランドセル１００では、内側補強部２０はリブ部ＲＰを含んでいる。リブ部ＲＰは、本体部２１から本体部２１と向かい合うように配置された外側補強部１０に向けて張り出すように構成されている。本実施の形態では、リブ部ＲＰは、直線状に延在するように構成されている。また、リブ部ＲＰは横方向および縦方向の両方に直線状に延在するように構成されている。つまり、リブ部ＲＰは格子状に配置されている。なお、リブ部ＲＰは直線状に限らず曲線状に延在するように構成されていてもよい。また、リブ部ＲＰは、格子状に限らず、一方向にのみ延在するように構成されていてもよい。
【００３６】
本実施の形態における変形例２のランドセル１００によれば、内側補強部２０は、本体部２１から本体部２１と向かい合うように配置された外側補強部１０に向けて張り出すリブ部ＲＰを含んでいる。このため、リブ部ＲＰによって内側補強部２０の強度を向上させることができる。したがって、リブ部ＲＰによって、開口部ＯＰの補強を向上させることができる。
【００３７】
図８および図９を参照して、本実施の形態における変形例３のランドセル１００について説明する。本実施の形態における変形例３のランドセル１００では、上記の本実施の形態の変形例２におけるランドセル１００に比べて、リブ部ＲＰの形状および外側補強部１０に溝部ＤＰが設けられている点で主に異なっている。
【００３８】
本実施の形態における変形３のランドセル１００では、リブ部ＲＰは、リブ部ＲＰの根元から先端に向けて先細りとなるテーパ状に構成されている。具体的には、リブ部ＲＰが本体部２１から張り出す方向において、リブ部ＲＰは根元から先端に向けて幅が狭くなるように構成されている。リブ部ＲＰの先端は尖るように構成されていることが好ましい。
【００３９】
外側補強部１０は、リブ部ＲＰと向かい合うように配置された溝部ＤＰを含んでいる。溝部ＤＰはリブ部ＲＰに対応する位置に配置されている。本実施の形態では、溝部ＤＰは格子状に配置されている。溝部ＤＰは、リブ部ＲＰと反対側に凹むように構成されている。溝部ＤＰの深さはリブ部ＲＰの高さと同程度であることが好ましい。また、溝部ＤＰの凹みの容積は、リブ部ＲＰの体積と同程度であることが好ましい。
【００４０】
本実施の形態における変形例３のランドセル１００によれば、リブ部ＲＰが本体部２１から張り出す方向において、リブ部ＲＰは根元から先端に向けて幅が狭くなるように構成されている。このため、リブ部ＲＰがマチ部１ｂに食い込むことでリブ部ＲＰがマチ部１ｂにしっかりと保持される。これにより、リブ部ＲＰによって、開口部ＯＰの補強を向上させることができる。
【００４１】
また、本実施の形態における変形例３のランドセル１００によれば、外側補強部１０のリブ部ＲＰと向かい合うように配置された溝部ＤＰは、リブ部ＲＰと反対側に凹むように構成されている。このため、リブ部ＲＰによってマチ部１ｂが溝部ＤＰに押し込まれることで溝部ＤＰにマチ部１ｂがしっかりと保持される。これにより、溝部ＤＰによって、開口部ＯＰの補強を向上させることができる。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４３】
１  収容部、１ａ１  外縁部、１ａ  背部、１ｂ  マチ部、１ｂ１  第１マチ部材、１ｂ２  第２マチ部材、１ｃ  正面部、１ｄ  底部、２  蓋部、３  ベルト、４  連結部材、５  補強部材、１０  外側補強部、１１  第１補強部、１２  第２補強部、１３  第３補強部、２０  内側補強部、２０ａ  第１内側補強部材、２０ｂ  第２内側補強部材、２１  本体部、２１ａ  第１本体部材、２１ｂ  第２本体部材、２２  突出部、２２ａ  第１突出部材、２２ｂ  第２突出部材、３０  表地、１００  ランドセル、ＣＰ  接続部、ＤＰ  溝部、ＨＰ  貫通孔、ＩＳ  収容空間、ＯＰ  開口部、ＲＰ  リブ部。
【図１】
2020005691.tif 000003
【図２】
2020005691.tif 000004
【図３】
2020005691.tif 000005
【図４】
2020005691.tif 000006
【図５】
2020005691.tif 000007
【図６】
2020005691.tif 000008
【図７】
2020005691.tif 000009
【図８】
2020005691.tif 000010
【図９】
2020005691.tif 000011
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
開口部が設けられた収容部と、
前記開口部に沿って前記収容部に接続された補強部材と、
前記開口部を開閉可能に前記収容部に接続された蓋部と、
前記収容部に接続された一対の背負いベルトとを備え、
前記収容部は、一対の前記背負いベルトのそれぞれの一端および前記蓋部が接続された背部と、前記背部の外縁部に接続されかつ互いに向かい合うように配置された一対のマチ部と、一対の前記マチ部に接続されかつ前記背部と向かい合うように配置された正面部とを含み、
前記補強部材は、前記収容部の外側に配置された外側補強部と、前記収容部の内側に配置された内側補強部と、前記外側補強部と前記内側補強部とを接続する接続部とを含み、
前記外側補強部と前記内側補強部とは一対の前記マチ部の各々を挟み込んだ状態で前記接続部によって接続されており、
前記内側補強部は、一対の前記マチ部の各々に沿う本体部と、前記本体部から前記背部に沿って突出する突出部とを含み、
前記本体部および前記突出部は、前記背部に支持されており、
前記外側補強部は、前記正面部に配置された第１補強部と、一対の前記マチ部にそれぞれ配置された一対の第２補強部と、前記背部の一端および他端に配置されている一対の第３補強部とを含み、
前記第１補強部の両端に一対の前記第２補強部がそれぞれ接続されており、
一対の前記第３補強部は、一対の前記第２補強部の各々に接続されており、
前記第３補強部と前記突出部とは前記背部を挟み込むように配置されている、ランドセル。
【請求項２】
前記外側補強部は、一対の前記マチ部および前記正面部に亘って延びるように構成されている、請求項１に記載のランドセル。
【請求項３】
前記突出部が前記本体部から前記背部に沿って突出する方向において、前記突出部は根元から先端に向けて厚みが小さくなるようにテーパ状に構成されている、請求項１または２に記載のランドセル。
【請求項４】
前記内側補強部は、前記本体部から前記本体部と向かい合うように配置された前記外側補強部に向けて張り出すリブ部を含む、請求項１〜３のいずれか１項に記載のランドセル。
【請求項５】
前記リブ部が前記本体部から張り出す方向において、前記リブ部は根元から先端に向けて幅が狭くなるように構成されている、請求項４に記載のランドセル。
【請求項６】
前記外側補強部は、前記リブ部と向かい合うように配置された溝部を含み、
前記溝部は、前記リブ部と反対側に凹むように構成されている、請求項５に記載のランドセル。